(57)【要約】【課題】本発明は、表面基材を簡単に剥離させることができ、開封をきれい且つ容易に行うことができる封緘ラベルを提供することを課題とする。【解決手段】裏面に粘着剤４が塗布された中間基材２と、剥離性を有すると共に剥離すると接着力がなくなる疑似接着層５によって中間基材２の表面に疑似接着されて積層された表面基材３とを有し、中間基材２には、中間基材２を分断する直線状のミシン目６と、当該ミシン目６に対して垂直な方向の端部を分断するスリット７とが形成されていると共に、スリット７によって分断された中間基材２の端部において、裏面に塗布された粘着剤４の粘着力を消失させる糊殺し加工８が施されている。【選択図】        図１
2010032708.tif 000002
【特許請求の範囲】
【請求項１】
封緘対象物を封緘する封緘ラベルであって、
裏面に粘着剤が塗布された中間基材と、
剥離性を有すると共に剥離すると接着力がなくなる疑似接着層によって前記中間基材の表面に疑似接着されて積層された表面基材とを具備し、
前記中間基材には、前記中間基材を分断する直線状のミシン目と、当該ミシン目に対して垂直な方向の端部を分断するスリットとが形成され、
前記スリットによって分断された前記中間基材の端部においては、裏面に塗布された前記粘着剤の粘着力を消失させる糊殺し加工が施されていることを特徴とする封緘ラベル。
【請求項２】
前記表面基材には、前記中間基材に形成されたミシン目と重なる位置に、前記表面基材を分断するミシン目が形成されていることを特徴とする請求項１記載の封緘ラベル。
【請求項３】
前記中間基材のスリットは、前記中間基材および前記表面基材に形成されたミシン目と平行に形成されていることを特徴とする請求項２記載の封緘ラベル。
【発明の詳細な説明】
【技術分野】
【０００１】
本発明は、封筒、箱等の封緘対象物を封緘する封緘ラベルに関し、特に不正開封を防止可能な封緘ラベルに関する。
【背景技術】
【０００２】
従来、封筒、箱等の封緘対象物を封緘する封緘ラベルとして、様々なタイプが提案されており、例えば、裏面に粘着剤が塗布された中間基材と、剥離性を有すると共に剥離すると接着力がなくなる疑似接着層によって中間基材の表面に疑似接着されて積層された表面基材と、中間基材の裏面に塗布された粘着剤に仮着された剥離基材とを備え、中間基材および剥離基材を分断するスリットを互いに重なる位置に形成し、表面基材を中間基材から剥離させることで、簡単に開封することができるものが提案されている（例えば、特許文献１参照）。
【０００３】
しかしながら、従来技術では、開封時に、封緘対象物に貼着された端部側から表面基材を剥離させることになるため、表面基材の端部のみを摘むことができず、ユーザによっては、封緘対象物に貼着された中間基材ごと剥離させる虞があり、開封をきれい且つ容易に行うことができないという問題点があった。
【０００４】
【特許文献１】特開２００７−２０６４４６号公報
【発明の開示】
【発明が解決しようとする課題】
【０００５】
本発明は斯かる問題点に鑑みてなされたものであり、その目的とするところは、表面基材を簡単に剥離させることができ、開封をきれい且つ容易に行うことができる封緘ラベルを提供する点にある。
【課題を解決するための手段】
【０００６】
本発明は上記課題を解決すべく、以下に掲げる構成とした。
請求項１記載の発明の要旨は、封緘対象物を封緘する封緘ラベルであって、裏面に粘着剤が塗布された中間基材と、剥離性を有すると共に剥離すると接着力がなくなる疑似接着層によって前記中間基材の表面に疑似接着されて積層された表面基材とを具備し、前記中間基材には、前記中間基材を分断する直線状のミシン目と、当該ミシン目に対して垂直な方向の端部を分断するスリットとが形成され、前記スリットによって分断された前記中間基材の端部においては、裏面に塗布された前記粘着剤の粘着力を消失させる糊殺し加工が施されていることを特徴とする封緘ラベルに存する。
また請求項２記載の発明の要旨は、前記表面基材には、前記中間基材に形成されたミシン目と重なる位置に、前記表面基材を分断するミシン目が形成されていることを特徴とする請求項１記載の封緘ラベルに存する。
また請求項３記載の発明の要旨は、前記中間基材のスリットは、前記中間基材および前記表面基材に形成されたミシン目と平行に形成されていることを特徴とする請求項２記載の封緘ラベルに存する。
【発明の効果】
【０００７】
本発明の封緘ラベルは、裏面に粘着剤が塗布された中間基材と、剥離性を有すると共に剥離すると接着力がなくなる疑似接着層によって中間基材の表面に疑似接着されて積層された表面基材とを有し、中間基材に、中間基材を分断する直線状のミシン目と、当該ミシン目に対して垂直な方向の端部を分断するスリットとを形成し、スリットによって分断された中間基材の端部において、裏面に塗布された粘着剤の粘着力を消失させる糊殺し加工を施すように構成することにより、スリットによって分断された中間基材の端部は、封緘対象物に貼着されないため、スリットによって分断された中間基材の端部において、表面基材を摘んで、簡単に表面基材を疑似接着層で剥離させることができ、封緘対象物に貼着された中間基材が剥離されることがないため、開封をきれい且つ容易に行うことができるという効果を奏する。
【０００８】
さらに、本発明の封緘ラベルは、表面基材にも、中間基材に形成されたミシン目と重なる位置に、前記表面基材を分断するミシン目を形成することにより、表面基材を剥離することなく、表面基材および中間基材に形成されたミシン目を切り離すことで、簡単に開封を行うことができるという効果を奏する。
【０００９】
さらに、本発明の封緘ラベルは、中間基材のスリットを、中間基材および表面基材に形成されたミシン目と平行に形成することにより、表面基材を剥離させる向きが、ミシン目と略垂直な方向となり、表面基材を疑似接着層で剥離させる際に、表面基材に形成されたミシン目が切り離されることがないという効果を奏する。
【発明を実施するための最良の形態】
【００１０】
以下、本発明の実施の形態を図面に基づいて詳細に説明する。
【００１１】
図１は、本発明に係る封緘ラベルの実施の形態の構成を示す図であり、（ａ）は、表面側から見た平面図であり、（ｂ）は、側面図であり、（ｃ）は、裏面側から見た平面図である。
【００１２】
本実施の形態の封緘ラベル１０は、封筒、箱等の封緘対象物を封緘する略矩形状のラベルであり、図１を参照すると、剥離基材１と、中間基材２と、表面基材３とが積層され、剥離基材１と中間基材２の裏面とは、中間基材２の裏面に塗布された粘着剤４で仮着され、中間基材２の表面と表面基材３の裏面とは、剥離性を有すると共に剥離すると接着力がなくなる疑似接着層５で疑似接着されている。なお、図１（ｂ）に示す側面図においては、説明のために厚み方向を拡大して記載している。
【００１３】
中間基材２および表面基材３には、互いに重なる位置に直線状のミシン目６が形成されており、ミシン目６を切り離すことで中間基材２および表面基材３を分断することができるようになっている。また、ミシン目６に対して垂直な方向の中間基材２の両端部には、中間基材２の両端部をそれぞれ分断する直線状のスリット７がそれぞれ形成されている。なお、本実施の形態では、ミシン目６およびスリット７は、長手方向に対して垂直に、それぞれ平行に形成されており、ミシン目６は、長手方向の略中央部分に形成されている。
【００１４】
剥離基材１の少なくとも一方面には、シリコーン加工等の剥離加工が施されており、剥離加工が施された面が、中間基材２の裏面に塗布された粘着剤４に仮着されている。なお、剥離基材１には、紙基材やフィルム基材等の任意基材を用いることができる。
【００１５】
中間基材２には、紙基材やフィルム基材等の任意基材を用いることができ、裏面には、封緘対象物に貼着するための粘着剤４が塗布されており、スリット７によって分断された両端部においては、裏面に塗布された粘着剤４の粘着力を消失させる糊殺し加工８が施されている。
【００１６】
表面基材３は、紙基材やフィルム基材等の任意基材を用いることができ、表面基材３の表面は、各種情報の表示部として用いることができ、例えば、ミシン目６が形成されている箇所を示す表示や、糊殺し加工８が施されている箇所を示す表示を行うことができる。
【００１７】
粘着剤４としては、例えばエマルジョン系、ソルベント系、ホットメルト系のように任意の粘着剤が使用可能であると共に、素材も、アクリル系、ゴム系など任意であり、また、粘着剤の強さも強粘タイプや弱粘タイプなど任意である。
【００１８】
疑似接着層５としては、例えばアクリル酸エステルワニス、ポリアミドワニス等の樹脂含有液体ワニスを用いることができ、例えば強接着力を持つ第１樹脂層と、弱接着力を持つ第２樹脂層で構成される。表面基材３と中間基材２とを仮着するには、第１樹脂層を形成する樹脂含有液体ワニスを予め表面基材３の裏面にコーティングして乾燥させ、次に、第１樹脂層に、第２樹脂層を形成する樹脂含有液体ワニスをコーティングして乾燥する前に中間基材２を貼り付ける。これにより、表面基材３と中間基材２とは、剥離性を有すると共に剥離すると表面基材３および中間基材２の接着面側の接着力がなくなる。また、疑似接着層５としては、例えばポリエチレン、ポリプロピレンなどの熱可塑性樹脂からなるものや圧着糊と呼ばれるもの等を用いることができる。
【００１９】
次に、本実施の形態の使用方法について図３を参照して詳細に説明する。
図２は、図１に示す封緘ラベルの貼着例を示す斜視図であり、図３は、本発明に係る封緘ラベルの実施の形態の開封動作を説明するための説明図である。なお、図３に示す側面図においては、説明のために厚み方向を拡大して記載している。
【００２０】
図２には、本実施の形態の封緘ラベル１０を貼着することで、封緘対象物である箱２０を封緘している状態が示されている。箱２０は、上部に開口がある本体２１と、本体２１の開口を塞ぐ封口部である上蓋部２２とからなり、剥離基材１が剥離させることで、中間基材２の裏面に塗布された粘着剤４の粘着面を露出させ、粘着剤４の粘着面を、本体２１と上蓋部２２の境界線である封じ目２３と、封緘ラベル１０の中間基材２および表面基材３に形成されているミシン目６とが略一致するように、且つ本体２１と上蓋部２２とをまたがるように貼着させることで、封緘対象物である箱２０が封緘される。なお、表面基材３の表面にミシン目６が形成されている箇所を示す表示を行うと、ミシン目６の位置が視認しやすくなるため、容易に封じ目２３にミシン目６を略一致させることが可能になる。
【００２１】
本実施の形態の封緘ラベル１０によって封緘された箱２０を開ける場合には、２通りの方法を用いることができる。第１の方法は、表面基材３および中間基材２に形成されているミシン目６を切り離すことで、箱２０の本体２１に貼着された表面基材３および中間基材２と、箱２０の上蓋部２２に貼着された表面基材３および中間基材２とを分断させる。これにより、上蓋部２２が解放可能な開封された状態となり、また、ミシン目６が切り離されているため、開封されたことを容易に認識することが可能になる。なお、表面基材３の表面にミシン目６が形成されている箇所を示す表示を行うと、切り離すミシン目６の位置が視認しやすくなるため、簡単にミシン目６を切り離すことができる。
【００２２】
第２の方法は、まず、表面基材３を疑似接着層５で剥離させた後、中間基材２に形成されているミシン目６を切り離すことで、箱２０の本体２１に貼着された中間基材２と、箱２０の上蓋部２２に貼着された中間基材２とを分断させる。封緘ラベル１０が貼着された状態では、図３（ａ）に示すように、スリット７によって分断された中間基材２の両端部においては、糊殺し加工８によって本体２１および上蓋部２２にそれぞれ貼着されることがない。従って、図３（ｂ）に示すように、スリット７によって分断された中間基材２の両端部のいずれかを摘み部として、表面基材３の端部と共に掴んで、簡単に表面基材３を疑似接着層５で剥離させることができる。なお、スリット７とミシン目６とが平行に形成されているため、表面基材３を剥離させる向きが、ミシン目６と略垂直な方向となり、表面基材３を疑似接着層５で剥離させる際に、表面基材３に形成されたミシン目６が切り離されることがない。また、本実施の形態では、表面基材３を剥離させる際に、疑似接着層５が層で分離するように構成したが、表面基材３と共に疑似接着層５の全てが取り除かれる様にしても良く、また、疑似接着層５の全てが中間基材２の表面に残るようにしても良い。さらに、表面基材３の表面に糊殺し加工８が施されている箇所を示す表示を行うと、ユーザが表面基材３を剥離させる際の開始位置を簡単に把握することができる。
【００２３】
図３（ｃ）には、表面基材３が疑似接着層５で剥離された状態が示されており、中間基材２に形成されているミシン目６を切り離すことで、上蓋部２２が解放可能な開封された状態となり、表面基材３の代わりに中間基材２が露出し、さらに、ミシン目６が切り離されているため、開封されたことを容易に認識することが可能になると共に、剥離した表面基材３の裏面と、中間基材２の表面とには、粘着力が残存していないため、剥離した表面基材３を再貼着することができず、不正開封を防止することができる。なお、表面基材３と、中間基材２とを異なる色で構成すると、表面基材３が剥離されたことを容易に認識することができ、好適である。
【００２４】
以上説明したように、本実施の形態によれば、裏面に粘着剤４が塗布された中間基材２と、剥離性を有すると共に剥離すると接着力がなくなる疑似接着層５によって中間基材２の表面に疑似接着されて積層された表面基材３とを有し、中間基材２に、中間基材２を分断する直線状のミシン目６と、当該ミシン目６に対して垂直な方向の端部を分断するスリット７とを形成し、スリット７によって分断された中間基材２の端部において、裏面に塗布された粘着剤４の粘着力を消失させる糊殺し加工８を施すように構成することにより、スリット７によって分断された中間基材の端部は、封緘対象物に貼着されないため、スリット７によって分断された中間基材２の端部において、表面基材３を摘んで、簡単に表面基材３を疑似接着層５で剥離させることができ、封緘対象物に貼着された中間基材２が剥離されることがないため、開封をきれい且つ容易に行うことができるという効果を奏する。
【００２５】
さらに、本実施の形態によれば、表面基材３にも、中間基材２に形成されたミシン目６と重なる位置に、表面基材３を分断するミシン目６を形成することにより、表面基材３を剥離することなく、表面基材３および中間基材２に形成されたミシン目６を切り離すことで、簡単に開封を行うことができるという効果を奏する。
【００２６】
さらに、本実施の形態によれば、中間基材２のスリット７を、中間基材２および表面基材３に形成されたミシン目６と平行に形成することにより、表面基材３を剥離させる向きが、ミシン目６と略垂直な方向となり、表面基材３を疑似接着層５で剥離させる際に、表面基材３に形成されたミシン目６が切り離されることがないという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係る封緘ラベルの実施の形態の構成を示す図であり、（ａ）は、表面側から見た平面図であり、（ｂ）は、側面図であり、（ｃ）は、裏面側から見た平面図である。
【図２】図１に示す封緘ラベルの貼着例を示す斜視図である。
【図３】本発明に係る封緘ラベルの実施の形態の開封動作を説明するための説明図である。
【符号の説明】
【００２９】
１  剥離基材
２  中間基材
３  表面基材
４  粘着剤
５  疑似接着層
６  ミシン目
７  スリット
８  糊殺し加工
１０  封緘ラベル
２０  箱
２１  本体
２２  上蓋部
２３  封じ目
【図１】
2010032708.tif 000003
【図２】
2010032708.tif 000004
【図３】
2010032708.tif 000005